(57)【特許請求の範囲】
【請求項１】
ユーザ端末とサーバとネットワークを介して接続して通信する情報処理装置であって、
前記ユーザ端末により自動検出された、もしくは前記ユーザ端末においてユーザにより手動入力された、前記サーバの所定の共有フォルダの情報を受信する受信手段と、
前記受信手段により受信された前記サーバの所定の共有フォルダの情報に基づき、前記所定の共有フォルダにファイルを保存することが可能かどうかをテストするテスト手段と、
前記所定の共有フォルダの情報が自動検出されたものであることを示す第１の情報を前記受信手段が受信した場合、前記テスト手段によるテストの結果に従って、前記所定の共有フォルダの情報をメモリに記憶する記憶手段とを有し、
前記所定の共有フォルダの情報がユーザにより手動入力されたものであることを示す第２の情報を前記受信手段が受信した場合には、前記テスト手段によるテストを実行せず、前記所定の共有フォルダの情報を前記メモリに記憶することを特徴とする情報処理装置。
【請求項２】
前記サーバの共有フォルダの情報が、前記サーバによって自動検出されたものであることを示す前記第１の情報を前記受信手段が受信した場合には、前記テスト手段によるテストの結果が成功である場合に、前記サーバの共有フォルダの情報を前記メモリに記憶させることを特徴とする請求項１に記載の情報処理装置。
【請求項３】
前記テスト手段によるテストの結果を前記ユーザ端末に通知する通知手段をさらに有することを特徴とする請求項１又は２に記載の情報処理装置。
【請求項４】
前記テスト手段によるテストの結果が失敗である場合、前記通知手段は、前記ユーザ端末に対して、前記失敗とともに、前記共有フォルダの情報の再設定を促すよう通知することを特徴とする請求項３に記載の情報処理装置。
【請求項５】
前記テスト手段は、
テストのためのダミーデータを受信した共有フォルダの情報に基いて、前記サーバの共有フォルダへ書き込むことを試みる試行手段と、
前記試行手段による書き込みの試みにより書き込みが正常に行われたか否かを判断する判断手段とを含むことを特徴とする請求項１乃至４のいずれか１項に記載の情報処理装置。
【請求項６】
前記ダミーデータは、前記共有フォルダに保存されるファイルと同じファイル形式のダミーファイルであることを特徴とする請求項５に記載の情報処理装置。
【請求項７】
前記判断手段により前記試行手段による書き込みの試みにより書き込みが正常に行われなかったと判断された場合、前記書き込みが正常に行われなかった原因を解析する解析手段をさらに有し、
前記解析手段により解析された原因を前記ユーザ端末に通知することを特徴とする請求項５又は６に記載の情報処理装置。
【請求項８】
画像を記録媒体に記録する記録手段と、
画像原稿を読取るスキャナ手段とをさらに有することを特徴とする請求項１乃至７のいずれか１項に記載の情報処理装置。
【請求項９】
ファクシミリデータを通信するファクシミリ手段をさらに有することを特徴とする請求項８に記載の情報処理装置。
【請求項１０】
前記所定の共有フォルダには、前記情報処理装置から転送された画像が保存されることを特徴とする請求項１乃至９のいずれか１項に記載の情報処理装置。
【請求項１１】
ユーザ端末とサーバとネットワークを介して接続して通信する情報処理装置の情報処理方法であって、
前記ユーザ端末により自動検出された、もしくは前記ユーザ端末においてユーザにより手動入力された、前記サーバの所定の共有フォルダの情報を受信する受信工程と、
前記受信工程において受信された前記サーバの所定の共有フォルダの情報に基づき、前記所定の共有フォルダにファイルを保存することが可能かどうかをテストするテスト工程と、
前記所定の共有フォルダの情報が自動検出されたものであることを示す第１の情報が前記受信工程において受信された場合、前記テスト工程におけるテストの結果に従って、前記所定の共有フォルダの情報をメモリに記憶する記憶工程とを有し、
前記所定の共有フォルダの情報がユーザにより手動入力されたものであることを示す第２の情報が前記受信工程において受信された場合には、前記テスト工程におけるテストを実行せず、前記所定の共有フォルダの情報を前記メモリに記憶することを特徴とする情報処理方法。
【発明の詳細な説明】
【技術分野】
【０００１】
本発明は情報処理装置、及び情報処理方法に関する。
【背景技術】
【０００２】
近年、ネットワーク技術が発達し、画像原稿をスキャンすることで得られた画像データや受信したファクシミリデータをプリント出力するだけでなく、ネットワーク上の共有フォルダに出力する機能を持つ複合プリンタが登場している。
【０００３】
ユーザが出力先としてその共有フォルダを指定した場合、複合プリンタはスキャンにより得られた画像データや受信ファクシミリデータを画像ファイルとして形成し、これを予め設定された共有フォルダ情報に基づいてネットワーク上の共有フォルダに保存する。共有フォルダ情報とは共有フォルダに画像ファイルを保存する際に必要となる情報であり、共有フォルダのフォルダ名やフォルダパス、共有フォルダが置かれているサーバへのログインユーザ名やパスワード等を含む。
【０００４】
共有フォルダ情報の設定値に誤りがない事を確かめるため、特許文献１は共有フォルダへの格納が正常にできることをダミーファイルを用いてシステム運用前に確認するテスト方法について開示している。
【先行技術文献】
【特許文献】
【０００５】
【特許文献１】特開２００９−０２７２６３号公報
【発明の概要】
【発明が解決しようとする課題】
【０００６】
特許文献１に開示の技術によれば、画像処理装置を操作して画像ファイルを保存する共有フォルダに関する共有フォルダ情報を入力する。共有フォルダのフォルダパスやフォルダ名には英数に限らず平仮名や漢字や特殊文字などが含まれていたり、文字数も１００を超えていたりする場合もある。一方、画像処理装置はコストアップを防ぐため、文字入力の確認に必要な入力結果を表示するデバイスの表示能力を限定的なものにしたり、入力可能な文字の種類に制限を加えることがある。そのため、低コストを意識して設計された画像処理装置では、共有フォルダ情報の入力に手間がかかったり、所望の入力ができないという問題がある。
【０００７】
また、共有フォルダに保存された画像ファイルは、同じネットワークに接続されたクライアント端末からアクセスして利用される。従って、クライアント端末での操作の容易性の面からは、アクセス可能な共有フォルダを自動検出して、クライアント端末にそのリスト一覧を表示させ、その一覧から所望のフォルダを選択可能にすることが望まれる。
【０００８】
本発明は上記従来例に鑑みてなされたもので、ファイルを共有フォルダに保存することが可能かどうかを確認できる情報処理装置、及び情報処理方法を提供することを目的としている。
【課題を解決するための手段】
【０００９】
上記目的を達成するために本発明の情報処理装置は次のような構成からなる。
【００１０】
即ち、ユーザ端末とサーバとネットワークを介して接続して通信する情報処理装置であって、前記ユーザ端末により自動検出された、もしくは前記ユーザ端末においてユーザにより手動入力された、前記サーバの所定の共有フォルダの情報を受信する受信手段と、前記受信手段により受信された前記サーバの所定の共有フォルダの情報に基づき、前記所定の共有フォルダにファイルを保存することが可能かどうかをテストするテスト手段と、前記所定の共有フォルダの情報が自動検出されたものであることを示す第１の情報を前記受信手段が受信した場合、前記テスト手段によるテストの結果に従って、前記所定の共有フォルダの情報をメモリに記憶する記憶手段とを有し、前記所定の共有フォルダの情報がユーザにより手動入力されたものであることを示す第２の情報を前記受信手段が受信した場合には、前記テスト手段によるテストを実行せず、前記所定の共有フォルダの情報を前記メモリに記憶することを特徴とする。
【発明の効果】
【００１１】
本発明によれば、情報処理装置から正常にファイルが保存できるかどうかを確かめることができる。
【図面の簡単な説明】
【００１２】
【図１】本発明の実施形態である画像処理システムの構成を示すブロック図である。
【図２】画像処理装置の構成を示すブロック図である。
【図３】共有フォルダを備えたサーバの構成を示すブロック図である。
【図４】フォルダ設定ツールを備えたクライアント端末の構成を示すブロック図である。
【図５】フォルダ設定ツールが自動入力した共有フォルダ情報で画像の保存テストに成功した場合の処理シーケンスを示す図である。
【図６】フォルダ設定ツールが自動入力した共有フォルダ情報で画像の保存テストに失敗した場合の処理シーケンスを示す図である。
【図７】フォルダ設定ツールが手動入力した共有フォルダ情報で画像の保存テストした場合の処理シーケンスを示す図である。
【図８】画像処理装置が実行する共有フォルダ設定に係るテスト処理を示すフローチャートである。
【発明を実施するための形態】
【００１３】
以下添付図面を参照して本発明の好適な実施形態について、さらに具体的かつ詳細に説明する。ただし、この実施形態に記載されている構成要素の相対配置等は、特定の記載がない限りは、この発明の範囲をそれらのみに限定する趣旨のものではない。
【００１４】
なお、この明細書において、「記録」（「プリント」という場合もある）とは、文字、図形等有意の情報を形成する場合のみならず、有意無意を問わない。さらに人間が視覚で知覚し得るように顕在化したものであるか否かも問わず、広く記録媒体上に画像、模様、パターン等を形成する、または媒体の加工を行う場合も表すものとする。
【００１５】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００１６】
図１は本発明の実施形態である画像処理システムの全体構成を示すブロック図である。
【００１７】
図１に示すように、画像処理システムは１インターネットやイントラネットから構成される通信ネットワーク４００で接続された画像処理装置１００と共有フォルダを持つサーバ２００とフォルダ設定ツールを持つクライアント端末３００とから構成される。なお、画像処理装置１００とサーバ２００とクライアント端末３００の通信ネットワーク４００への接続は公知の方法に従ってなされるものとし、ここでの説明は省略する。また、サーバ２００とクライアント端末３００は別の装置であるものとして説明したが、同一の装置である構成でも構わない。
【００１８】
なお、通信ネットワーク４００としては有線ＬＡＮや有線ＷＡＮの他に、無線ＬＡＮ（例えば、ＷｉＦｉなど）や無線ＷＡＮ（例えば、ＷｉＭＡＸ、ＬＴＥなど）を用いても良いし、無線と有線の混合したネットワークを用いても良い。
【００１９】
図２は画像処理装置１００の詳細な構成を示すブロック図である。
【００２０】
ＣＰＵ１０１は、ＲＯＭ１０２から読出された制御プログラムを実行して、ＣＰＵバス１０８を介して画像処理装置１００の全体と各構成要素の動作を制御する。なお、この制御プログラムは不揮発性のＲＡＭ１０３に格納されていても良い。ＲＯＭ１０２には、ＣＰＵ１０１が実行する制御プログラムに加えてデータテーブル、組み込みオペレーティングシステム（ＯＳ）のプログラムに関係した固定データなどを格納する。ＲＡＭ１０３は、バックアップ電源付きのＳＲＡＭ等で構成され、たとえ、画像処理装置１００への電力供給が切断させてもデータバックアップ用の１次電池（不図示）により格納データを保持する。従って、ＲＡＭ１０３には、データが消去されては困るプログラム制御変数等を格納する。また、ＲＡＭ１０３には、オペレータが登録した設定値や画像処理装置１００の管理データ等を格納する領域も設けられている。さらに、ＲＡＭ１０３にはクライアント端末３００から受信した共有フォルダ情報に記憶される。
【００２１】
画像入力部１０４は画像の元となるデータを装置外部から取得し、共有フォルダ２０４に保存するための画像データを生成する。従って、画像入力部１０４の具体的な構成例としてはスキャナやファクシミリ装置などが含まれる。また、画像入力部１０４は画像の保存テストの際に用いるダミーファイルを生成する。
【００２２】
表示操作部１０５はモード設定キー、決定キー、取り消しキー等、装置の操作に必要最低限のキーとディスプレイやスピーカ等から構成され、ユーザからのキー入力を受け付けるとともに、その結果をディスプレイやスピーカ等に出力する。
【００２３】
記録部１０６は、例えば、インクジェット方式に従って記録媒体に画像を記録するプリンタエンジンを備え、画像入力部１０４により入力した画像データをファクシミリデータなどに基いて画像を記録する。また、共有フォルダに格納された画像ファイルの画像をネットワークを介して入力し、これを記録することもできる。
【００２４】
通信制御部１０７は、通信ネットワーク４００に接続され、インターネットプロバイダへ接続して通信を行ったり、サーバ２００、クライアント端末３００との間でデータや画像等の通信を行う。
【００２５】
以上の構成から分かるように、画像処理装置の実施形としては画像原稿を読取るスキャナ機能とファクシミリ機能とプリンタ機能とを備えた多機能プリンタ装置（ＭＦＰ）が代表的なものであるが、スキャナ機能とプリンタ機能とを備えたＭＦＰであっても良い。さらに、そのＭＦＰには画像データを格納したメモリスティックやメモリカードを装着可能なインタフェースを備え、画像入力部１０４がメモリスティックやメモリカードから画像データを入力しても良い。また、そのＭＦＰがデジタルカメラを直接接続するインタフェースを備え、画像入力部１０４がデジタルカメラから画像データを入力しても良い。
【００２６】
図３は共有フォルダを備えるサーバ２００の構成を示すブロック図である。
【００２７】
図３において、ＣＰＵ２０１は、ＲＯＭ２０２に格納された制御プログラムを読出して実行し、ＣＰＵバス２０６を介してサーバ２００の全体と各構成要素の動作を制御する。なお、この制御プログラムは不揮発性のＲＡＭ２０３に格納されていても良い。ＲＡＭ２０３は一時的にプログラムや画像データを記憶し、サーバ２００の処理を高速に動作させるために用いられる。
【００２８】
共有フォルダ２０４はネットワーク上の画像処理装置１００とクライアント端末３００からも参照可能に設けられたフォルダであり、画像処理装置１００から転送された画像を受信して保存する。通信制御部２０５は、通信ネットワーク４００に接続し、インターネットプロバイダへ接続して通信を行ったり、画像処理装置１００やクライアント端末３００との間でデータや画像等の通信を行う。
【００２９】
図４はフォルダ設定ツールを備えるクライアント端末（ユーザ端末）３００の構成を示すブロック図である。
【００３０】
ＣＰＵ３０１は、ＲＯＭ３０２に格納された制御プログラムを読出して実行し、ＣＰＵバス３０６を介してクライアント端末３００の全体と各構成要素の動作を制御する。なお、この制御プログラムは不揮発性のＲＡＭ３０３に格納されていても良い。ＲＡＭ３０３は、一時的にプログラムや画像データを記憶し、クライアント端末３００の処理を高速に動作させるために用いられる。
【００３１】
フォルダ設定ツール３０４は、ＣＰＵ３０１が実行するプログラムと、クライアントに情報の入出力を行うディスプレイやキーボード等の入出力部で構成され、同一ネットワーク上にある共有フォルダ２０４に画像を保存するための共有フォルダ情報を作成する。本願の課題においても指摘したように、画像処理装置１００はコストアップを防ぐため、文字入力の確認に必要な入力結果を表示するデバイスの表示能力を限定的なものにしたり、入力可能な文字の種類に制限を加えることがある。その結果、その文字入力に英数に限らず平仮名や漢字や特殊文字などが含まれていたり、文字数も１００を超えていたりすると共有フォルダ情報の入力に手間がかかったり、あるいは入力そのものができない場合がある。
【００３２】
また、共有フォルダ２０４に保存した画像ファイルは同ネットワークに接続されたクライアント端末３００からアクセスして利用される。従って、フォルダ設定ツール３０４ではクライアント端末３００のブラウジング機能を使用し、クライアント端末３００からアクセス可能な共有フォルダ２０４を自動検出して一覧を作成する。そして、その一覧から所望の共有フォルダを選択する。このようにして、ユーザが共有フォルダ情報を入力する手間を省き、操作を容易にしている。また、共有フォルダ情報を手動入力する場合も、ディスプレイやキーボート等の入出力部を使用することで入力を容易している。
【００３３】
通信制御部３０５は、通信ネットワーク４００に接続し、インターネットプロバイダへ接続して通信を行ったり、画像処理装置１００やサーバ２００との間でデータや画像等の通信を行う。
【００３４】
なお、クライアント端末３００の実施形としては、ラップトップやデスクトップのパーソナルコンピュータ（ＰＣ）の他に、スマートフォンやタブレット端末などがある。
【００３５】
次に、シーケンス図を用いて画像処理システムで実行される処理について説明する。
【００３６】
画像処理装置１００に対して画像保存先の共有フォルダ情報を記憶させるため、ユーザがクライアント端末３００のフォルダ設定ツール３０４を使用する処理をトリガとして一連の処理が開始される。
【００３７】
図５はフォルダ設定ツール３０４が自動入力した共有フォルダ情報でテストに成功する時のシーケンスを示す図である。
【００３８】
まず、フォルダ設定ツール３０４はブラウジング機能を用いて通信ネットワーク４００を介してサーバ２００に照会し、通信ネットワーク４００に接続された共有フォルダ２０４を自動検出する（５００）。サーバ２００はその検出した複数の共有フォルダの情報を含むリストを取得して、送信する（５００ａ）。なお、共有フォルダ２０４を自動検出するブラウジング機能はフォルダ設定ツール３０４に直接搭載してもよいし、クライアント端末３００に搭載してフォルダ設定ツール３０４が使用する構成でも構わない。
【００３９】
次に、クライアント端末３００は取得した共有フォルダリストの中から、画像処理装置１００が画像を保存する保存先に指定する共有フォルダ２０４を選択する（５０１）。続いて、フォルダ設定ツール３０４は画像処理装置１００に選択された共有フォルダ２０４の情報を送信する（５０２）。ここで、送信する情報は、共有フォルダ２０４に画像ファイルを保存する際に必要となる情報であり、例えば、共有フォルダのフォルダ名やフォルダパス、共有フォルダをもつサーバ２００へのログインユーザ名やパスワード等を含む。なお、共有フォルダ情報の一部に自動入力された情報がある場合は、その事を示す情報も併せて送信する。
【００４０】
この送信に応じて、画像処理装置１００は受信した共有フォルダ情報に基いて共有フォルダ２０４に画像データが保存できることをテストするためにダミーデータを送信する（５０３）。そして、その結果をサーバ２００から受信する（５０３ａ）。ここで、図５が示す例は、そのテストが成功したことを示す通知である。
【００４１】
このテストは、次のような手順で行う。まず、画像入力部１０４で共有フォルダ２０４にテスト的に格納させるためのダミーファイルを作成する。このダミーファイルは保存を予定している画像データと同じ形式（ＰＤＦ、ＪＰＥＧ等）であり、かつ、ファイルサイズやファイル名も同じかそれに類似のものである事が望ましい。続いて、作成されたダミーファイルを受信した共有フォルダ情報を用いて共有フォルダ２０４に書き込みを試行し、書き込みが正常に行われたか否かを判定する。最後に、書き込んだダミーファイルを共有フォルダ２０４から削除し、テスト結果を作成する。
【００４２】
そのテストが成功した場合、画像処理装置１００はテストが成功したという通知をフォルダ設定ツール３０４に送信する（５０４）。最後に、画像処理装置１００は受信した共有フォルダ情報をＲＡＭ１０３に記憶する（５０５）。
【００４３】
図６はフォルダ設定ツール３０４が自動入力した共有フォルダ情報でテストに失敗する時のシーケンスを示す図である。なお、図６において、図５で説明したのと同じシーケンスや動作についてが同じ参照番号を付し、その説明は省略する。
【００４４】
図６に示すように、ダミーデータの送信（５０３）に対するテストの結果をサーバ２００から受信する（５０３ｂ）。ここで、図６が示す例は、そのテストが失敗したことを示す通知である。図６に示すシーケンスでは、テスト失敗の原因を画像処理装置１００が解析して３種類に分類する。
【００４５】
１つ目は失敗の原因が画像処理装置１００にある場合、例えば、テスト開始時に画像処理装置１００が別の処理を実行中でテスト処理が実行できないような場合がこれに相当する。２つ目は失敗の原因が共有フォルダ２０４にある場合、例えば、サーバ２００にログインできなかった場合や、共有フォルダ２０４が書込み禁止になっている場合等が、これに相当する。３つ目は失敗の原因が画像処理装置１００と共有フォルダ２０４と間の通信にある場合、例えば、ネットワークの通信経路がテスト中に切断され、タイムアウトとなり応答が無いような場合が、これに相当する。なお、この例では失敗した原因を解析して３種類に分類したが、更に詳細に原因を特定してもよい。
【００４６】
さて、画像処理装置１００はテストに失敗した事とその原因をフォルダ設定ツール３０４に送信し（６０４）、フォルダ設定ツール３０４のユーザに対して６０２で送信した共有フォルダ情報の再設定を促す。
【００４７】
これに応じて、受信したテスト失敗の通知とその原因とに基いて、ユーザは画像が共有フォルダ２０４に正しく保存できる環境の再設定を行う（６０５）。それから、ユーザはクライアント端末３００から再設定された環境と共有フォルダ情報を画像処理装置１００に送信する（６０６）。画像処理装置１００は、受信した共有フォルダ情報に基いて共有フォルダ２０４に画像データを保存できるかどうかをテストするために、ダミーデータを作成してこれを送信する（６０７）。そして、その結果をサーバ２００から受信する（６０７ａ）。ここで、図６が示す例は、そのテストが成功したことを示す通知である。
【００４８】
画像処理装置１００は受信したテストが成功したという通知をフォルダ設定ツール３０４に送信する（６０８）。最後に、画像処理装置１００は受信した共有フォルダ情報をＲＡＭ１０３に記憶する（６０９）。
【００４９】
図７はフォルダ設定ツール３０４が手動入力した共有フォルダ情報でテストした時のシーケンスを示す図である。この手動入力は既に画像処理装置１００に記憶された情報の一部を変更したい場合や、別の画像処理装置に情報を記憶させる場合に、手動操作の手間を少なくすることを目的としている。なお、この処理自体は無くてもよいし、また、フォルダ情報を自動入力する場合でも共有フォルダを自動検出する前に行ってもよい。
【００５０】
まず、フォルダ設定ツール３０４は画像処理装置１００に記憶されている共有フォルダ情報を受信する（７００）。次に、フォルダ設定ツール３０４は共有フォルダ情報を手動で入力する（７０１）。
【００５１】
続いて、フォルダ設定ツール３０４は入力した共有フォルダ情報と、その情報が手動で入力されたことを併せて画像処理装置１００に送信する（７０２）。共有フォルダ情報が手動入力された情報である場合、ユーザが意図して入力した情報であるため、現在の環境で画像を保存するテストに失敗する情報であっても画像処理装置１００に記憶させたい情報である可能性が高い。例えば、現在は共有フォルダを持つサーバ２００の電源が入っていないが、電源投入は後で対応するので画像処理装置１００には今すぐフォルダ情報を記憶させたいという場合などが考えられる。
【００５２】
従って、この場合には、画像処理装置１００は受信した共有フォルダ情報をＲＡＭ１０３に記憶する（７０３）。
【００５３】
図８は画像処理装置１００が実行する共有フォルダ設定に係るテスト処理を示すフローチャートである。
【００５４】
まず、ステップＳ８００では、フォルダ設定ツール３０４から送信された共有フォルダ情報を受信し、ステップ８０１では、受信した共有フォルダ情報が自動入力された情報であるか手動入力された情報であるかを調べる。ここで、受信した共有フォルダ情報が手動入力による情報であると判定された場合、ユーザが意図して入力した情報であるため、現在の環境で画像を保存するテストに失敗する情報であっても画像処理装置１００に記憶させたい情報である可能性が高い。従って、処理はステップＳ８０７に進み、受信した共有フォルダ情報をＲＡＭ１０３に記憶する。
【００５５】
これに対し、受信した共有フォルダ情報が自動入力の情報であると判定された場合、クライアント端末３００上のフォルダ設定ツール３０４からは正しくアクセスできた共有フォルダ２０４であっても画像処理装置１００から正しくアクセスできないことがある。例えば、サーバ２００には特定の機器からのアクセスを禁止する設定がされていることがあるからである。従って、この場合、処理はステップＳ８０２に進む。
【００５６】
ステップＳ８０２では、画像処理装置１００はステップＳ８００で受信した共有フォルダ情報に基いて共有フォルダ２０４に画像データを保存できるかどうかをテストする。このため、上述のように、画像処理装置１００はダミーデータを作成し、これをサーバ２００に送信する。ステップＳ８０３では、テストの結果をサーバ２００から受信する。続いて、ステップＳ８０４では、テストの結果をフォルダ設定ツール３０４に送信する。
【００５７】
さらにステップＳ８０５では、テストが成功したかをサーバ２００から受信したテストの結果に基いて判定する。ここで、テストに成功したと判定された場合、処理はステップＳ８０７に進み、受信した共有フォルダ情報をＲＡＭ１０３に記憶する。これに対して、テストに失敗したと判定された場合、その失敗は単純な入力ミスではなく、画像処理システム全体の環境設定に不備がある可能性が高い。従って、この場合はテストの失敗結果を受信したフォルダ設定ツール３０４のユーザが環境を再設定し、再設定された共有フォルダ情報を送信することを期待し、処理はステップＳ８００に戻る。
【００５８】
従って以上説明した実施形態に従えば、文字入力能力が低い画像処理装置であっても、クライアント端末が備えるツールを利用することで共有フォルダ情報の入力が容易になる。また、そのツールで設定した共有フォルダ情報により画像処理装置からも正常に画像が共有フォルダに保存できることを共有フォルダ情報の入力時に確かめることができる。
【００５９】
なお、この実施形態では共有フォルダ情報がクライアント端末のフォルダ設定ツールから手動入力された場合には画像の保存テストを行わない例について説明したが、入力方法が自動か手動かに拘わらず、そのテストを実行してもよい。
【００６０】
またこの時、手動入力された共有フォルダ情報に基いて保存テストを実行し、その結果が失敗だった場合は、共有フォルダ情報をＲＡＭに保存してもよいし、保存しなくてもよい。現在の環境ではたとえ保存テストに失敗する情報であっても画像処理装置に記憶させたい情報である可能性がある一方で、単純な入力ミスの可能性もある。従って、フォルダ設定ツールに保存テストには失敗したが、そのフォルダ情報を画像処理装置に記憶させるかどうかを選択させる画面を表示し、ユーザに判断させるようにしてもよい。また、画像処理装置やフォルダ設定ツールに表示されるメッセージは、テストの結果や失敗の原因の他に、共有フォルダ情報の入力方法が自動であるか手動であるかを区別して表示してもよい。
【符号の説明】
【００６１】
１００  画像処理装置、２００  サーバ、３００  クライアント端末
４００  通信ネットワーク
【図１】
0006521580.tif 000002
【図２】
0006521580.tif 000003
【図３】
0006521580.tif 000004
【図４】
0006521580.tif 000005
【図５】
0006521580.tif 000006
【図６】
0006521580.tif 000007
【図７】
0006521580.tif 000008
【図８】
0006521580.tif 000009